(57)【要約】【課題】簡素な構成により安価に実現でき、弁体動作不良も生じることのない緊急作動弁装置が望まれている。【解決手段】緊急作動弁装置１は貯水槽９と水道本管２７の間に介設される装置であって、作動弁２と、パイロット弁３と、これらを連結する連結水管群４とから構成され、作動弁２は、弁箱５と、第１弁体２６と、第２弁体２５と、弁駆動用箱８とを備えて成り、パイロット弁３は、パイロット箱７０と、パイロット弁体８０と、ダイヤフラム７２と、パイロット弾性部材７３と、を備えて成り、三方切換弁５２の第１口５５には主駆動用水管４９が連結され、三方切換弁５２の第２口５７には主駆動用水管５９が連結され、三方切換弁５２の第３口５６には手動復帰用水管５１が連結されているものである。【選択図】図１
2018115719.tif 000002
【特許請求の範囲】
【請求項１】
貯水槽と水道本管との間に介設されて前記貯水槽への給水動作と止水動作を行なう作動弁と、前記水道本管の水圧に応じて前記作動弁に給水動作と止水動作を切り換えさせるパイロット弁と、前記作動弁の給水動作と止水動作とを行なうために前記作動弁と前記パイロット弁とを連結する連結水管群と、から構成され、
前記作動弁は、
前記水道本管の一端とつながる水道側第１室、前記水道本管の別端とつながる水道側第２室、前記貯水槽の一端とつながる貯水側第１室、および前記貯水槽の別端とつながる貯水側第２室を有し、前記水道側第１室と前記貯水側第１室とが第１弁座を介して連通し、前記水道側第１室と前記水道側第２室とが第２弁座を介して連通し、前記水道側第２室と前記貯水側第２室とが第３弁座を介して連通して形成された弁箱と、
前記弁箱内に移動自在に配備された弁棒に固定されていて前記第１弁座または前記第２弁座を開閉する第１弁体と、
前記弁棒に固定されていて前記第３弁座を開閉する第２弁体と、
前記弁箱に付設された弁駆動用箱と、
前記弁駆動用箱内に突出した前記弁棒の一端側に固定されて前記弁駆動用箱内を摺動自在の駆動用弁体と、
前記弁駆動用箱内に配備されていて前記駆動用弁体を押して前記第１弁体および前記第２弁体を前記第１弁座および前記第３弁座に向けて付勢する弾性部材と、を備えて成り、
前記パイロット弁は、
前記水道本管の一端とつながるパイロット第１室、前記作動弁の弁駆動用箱内とつながるパイロット第２室、大気に開放されるパイロット第３室、および前記水道本管の一端とつながるパイロット第４室を有して成り、前記パイロット第１室と前記パイロット第２室とが第１パイロット弁座を介して連通し、前記パイロット第２室と前記パイロット第３室とが第２パイロット弁座を介して連通して形成されたパイロット箱と、
パイロット弁棒の一端側に固定されていて前記第１パイロット弁座または前記第２パイロット弁座の一方を開閉し他方を閉開するパイロット弁体と、
前記パイロット第４室の内周壁に固着されるとともにパイロット弁棒の他端側に取り付けられたダイヤフラムと、
前記パイロット第４室内に配備されていて前記ダイヤフラムを押して前記パイロット弁体を前記第１パイロット弁座に向けて付勢するパイロット弾性部材と、を備えて成り、
前記連結水管群は、
前記作動弁の水道側第１室と前記パイロット弁のパイロット第１室とを連結する主駆動用水管と、
前記パイロット弁のパイロット第１室と前記作動弁の弁駆動用箱内とを連結する副駆動用水管と、
前記主駆動用水管から分岐して前記パイロット弁のパイロット第４室とつながる切換用水管と、を備えて成り、
更に、前記主駆動用水管に介設された三方切換弁の第１口と第２口には、前記主駆動用水管が連結され、前記三方切換弁の第３口には、前記作動弁の貯水側第１室に一端をつながれた手動復帰用水管の他端が連結されていることを特徴とする緊急作動弁装置。
【請求項２】
前記弁箱の水道側第１室に、前記水道本管の一端の換わりに前記水道本管の別端がつなげられ、前記弁箱の水道側第２室に、前記水道本管の別端の換わりに前記水道本管の一端がつなげられている請求項１に記載の緊急作動弁装置。
【発明の詳細な説明】
【技術分野】
【０００１】
本発明は、貯水槽と水道本管との間に設けられて定常時の貯水槽への通水動作と非常時の止水動作とを切り換える装置に係り、更に詳しくは止水動作後の定常になったときに通水動作に戻す自動復帰モードと、定常に戻っても止水動作のままになっている自己保持モードとを切り換える構成が簡素な緊急作動弁装置に関するものである。
【背景技術】
【０００２】
従来、この種の緊急作動弁装置としては、例えば下記の特許文献１に記載されているような装置が知られている。この緊急作動弁装置は、水道本管と貯水槽の間に配備されるものであって、作動弁と、作動弁を駆動させるパイロット弁と、作動弁とパイロット弁をつなぐいくつかの水管と、から構成されている。この緊急作動弁装置では、水道本管の水圧によりパイロット弁が作動する。すなわち、水道本管の定常時には作動弁の弁箱内の流路を水道本管の一端から貯水槽へ導通させる一方、非常時には貯水槽の水入出口を遮断して水道本管の一端からの水をそのまま水道本管の別端へ流出させるようになっている。作動弁内の流路変更は弁箱内の弁体の作動により行なわれるが、弁体が取り付けられている弁棒の一端部が延長棒として弁箱から外部に出没自在に露出している。そして、作動弁の水道側入口とパイロット弁のパイロット箱とは主駆動用水管で連結されている。
【０００３】
そこで、図５（ａ）に示した緊急作動弁装置の作動弁１００では、主駆動用水管６５にロッキング弁が配備され、ロッキング弁の弁軸１０４と一体のレバー１０３の先端には、リンク１０６が枢支軸１０５を介して揺動自在に支持されている。リンク１０６に形成された長孔１０９には、固定板１０８のピン１０７が孔内移動自在に装着されている。また、主駆動用水管６５にはバイパス管（図外）が並列接続されていて、このバイパス管に復帰開閉弁（図外）が介設されている。図５（ａ）の状態は、作動弁における弁駆動用箱８の上面８Ａの軸受８Ｂから延長棒２３が最も突出した状態を示しており、水道本管の水圧が定常状態のときである。
【０００４】
そうして、水道本管が非常状態になると、作動弁１００の弁棒とともに延長棒２３が下降し（１点鎖線矢印Ｇ方向）、ピン１０７が長孔１０９内を移動したのち、図５（ｂ）のごとく最下位置に到達するとともに、リンク１０６などを介してロッキング弁の弁軸１０４が回されて閉弁する。この閉弁によって主駆動用水管６５が閉止される。従って、水道本管２７の水圧が上昇して設定水圧に戻ったとしても、並列の復帰開閉弁も閉じているので、その水圧は作動弁１００の弁箱内空間に印加されない。このため、この緊急作動弁装置は貯水槽への止水状態を維持するという、自己保持モードが実行される。一方、復帰開閉弁を開放しておけば、ロッキング弁の開閉に関係なく水道本管の水圧がパイロット弁に印加されて、自動復帰モードが実行されるようになっている。
【先行技術文献】
【特許文献】
【０００５】
【特許文献１】特開平１１−２２８３６号公報
【発明の概要】
【発明が解決しようとする課題】
【０００６】
ところで、上記した従来の緊急作動弁装置では、枢支軸１０５を介するレバー１０３とリンク１０６や、リンク１０６の長孔１０９と固定板１０８のピン１０７といったような機械的可動部分が存在するので、部品点数が多くならざるを得ない。そのために、部品コストが嵩み、組立・分解作業に手間がかかり保守点検も容易でないという問題があった。一方、非常状態に陥るケースは稀なのであるが、この作動弁１００は公園など屋外で塵埃の多い設置環境に配備されることが多い。すなわち、定常状態が続き長期間一定姿勢のままでいるから、前記の機械的可動部分に錆が発生したり塵埃などが堆積したりしやすくなる。そのようになると、いざというときに弁体の動作に支障を生じて貯水槽への流路の遮断ができなくなるおそれがある。
【０００７】
本発明は、上記した従来の問題点に鑑みてなされたものであって、簡素な構成により安価に実現でき、弁体動作不良も生じることのない緊急作動弁装置の提供を目的とする。
【課題を解決するための手段】
【０００８】
上記目的を達成するために、本発明に係る緊急作動弁装置は、貯水槽と水道本管との間に介設されて前記貯水槽への給水動作と止水動作を行なう作動弁と、前記水道本管の水圧に応じて前記作動弁に給水動作と止水動作を切り換えさせるパイロット弁と、前記作動弁の給水動作と止水動作とを行なうために前記作動弁と前記パイロット弁とを連結する連結水管群と、から構成され、前記作動弁は、前記水道本管の一端とつながる水道側第１室、前記水道本管の別端とつながる水道側第２室、前記貯水槽の一端とつながる貯水側第１室、および前記貯水槽の別端とつながる貯水側第２室を有し、前記水道側第１室と前記貯水側第１室とが第１弁座を介して連通し、前記水道側第１室と前記水道側第２室とが第２弁座を介して連通し、前記水道側第２室と前記貯水側第２室とが第３弁座を介して連通して形成された弁箱と、前記弁箱内に移動自在に配備された弁棒に固定されていて前記第１弁座または前記第２弁座を開閉する第１弁体と、前記弁棒に固定されていて前記第３弁座を開閉する第２弁体と、前記弁箱に付設された弁駆動用箱と、前記弁駆動用箱内に突出した前記弁棒の一端側に固定されて前記弁駆動用箱内を摺動自在の駆動用弁体と、前記弁駆動用箱内に配備されていて前記駆動用弁体を押して前記第１弁体および前記第２弁体を前記第１弁座および前記第３弁座に向けて付勢する弾性部材と、を備えて成り、前記パイロット弁は、前記水道本管の一端とつながるパイロット第１室、前記作動弁の弁駆動用箱内とつながるパイロット第２室、大気に開放されるパイロット第３室、および前記水道本管の一端とつながるパイロット第４室を有して成り、前記パイロット第１室と前記パイロット第２室とが第１パイロット弁座を介して連通し、前記パイロット第２室と前記パイロット第３室とが第２パイロット弁座を介して連通して形成されたパイロット箱と、パイロット弁棒の一端側に固定されていて前記第１パイロット弁座または前記第２パイロット弁座の一方を開閉し他方を閉開するパイロット弁体と、前記パイロット第４室の内周壁に固着されるとともにパイロット弁棒の他端側に取り付けられたダイヤフラムと、前記パイロット第４室内に配備されていて前記ダイヤフラムを押して前記パイロット弁体を前記第１パイロット弁座に向けて付勢するパイロット弾性部材と、を備えて成り、前記連結水管群は、前記作動弁の水道側第１室と前記パイロット弁のパイロット第１室とを連結する主駆動用水管と、前記パイロット弁のパイロット第１室と前記作動弁の弁駆動用箱内とを連結する副駆動用水管と、前記主駆動用水管から分岐して前記パイロット弁のパイロット第４室とつながる切換用水管と、を備えて成り、更に、前記主駆動用水管に介設された三方切換弁の第１口と第２口には、前記主駆動用水管が連結され、前記三方切換弁の第３口には、前記作動弁の貯水側第１室に一端をつながれた手動復帰用水管の他端が連結されていることを特徴とするものである。
【０００９】
また、前記構成において、前記弁箱の水道側第１室に、前記水道本管の一端の換わりに前記水道本管の別端がつなげられ、前記弁箱の水道側第２室に、前記水道本管の別端の換わりに前記水道本管の一端がつなげられているものである。
【発明の効果】
【００１０】
本発明に係る緊急作動弁装置によれば、主駆動用水管に介設された三方切換弁の第１口と第２口に主駆動用水管を連結し、作動弁の貯水側第１室に一端をつながれた手動復帰用水管の他端を三方切換弁の第３口に連結した構造なので、作動弁およびパイロット弁により通水運転と止水運転を行なう際の自動復帰モードと自己保持モードに切り換える構成を、極めて簡素で安価に実現できたのである。加えて、自動復帰モードと自己保持モードの切換えは、三方切換弁の手動操作や電動操作による流路変更により簡単に行なうことができる。また、機械的可動部分が外部に露出していないので、機械的可動部分に対する錆発生や塵埃堆積の懸念がなく、これらによる弁体動作不良を生じるおそれもない。
【００１１】
また、弁箱の水道側第１室に水道本管の別端がつなげられ、弁箱の水道側第２室に水道本管の一端がつなげられているものでは、請求項１に係る作動弁と比べて、作動弁および貯水槽における水路の水流方向を逆にできる。これにより、現地における設置環境に臨機応変に対応して、水道本管への取付け工事を容易に行なうことができる。
【図面の簡単な説明】
【００１２】
【図１】本発明の一実施形態に係る緊急作動弁装置の定常時の概略断面を含む構成図である。
【図２】前記緊急作動弁装置を示す正面図である。
【図３】前記緊急作動弁装置を示す図であって、（ａ）は側面図、（ｂ）は平面図である。
【図４】前記緊急作動弁装置の水圧異常時の概略断面を含む構成図である。
【図５】従来の緊急作動弁装置の一部分を示す図であって、（ａ）は定常時における部分正面図、（ｂ）は水圧異常時における部分正面図である。
【発明を実施するための形態】
【００１３】
以下、本発明の実施形態を図面に基づいて説明する。尚、以下に述べる実施形態は本発明を具体化した一例に過ぎず、本発明の技術的範囲を限定するものでない。ここに、図１は本発明の一実施形態に係る緊急作動弁装置の定常時の概略断面を含む構成図、図２は前記緊急作動弁装置を示す正面図、図３は前記緊急作動弁装置を示す図であって、（ａ）は側面図、（ｂ）は平面図である。但し、図５に示した従来の緊急作動弁装置と同一の構成要素には、同一の符号を付すとともにその詳細な説明を省略することがある。
図１〜図３において、この実施形態に係る緊急作動弁装置１は、貯水槽９と水道本管２７との間に介設されて貯水槽９への給水動作と止水動作を行なう作動弁２と、水道本管２７内の水圧に応じて作動弁２に給水動作と止水動作を切り換えさせるパイロット弁３と、作動弁２の給水動作と止水動作とを行なうために作動弁２とパイロット弁３とを連結する複数の水管から成る連結水管群４と、から構成されている。
【００１４】
上記の作動弁２は、弁箱５、弁箱５内に格納された第１弁体２６と第２弁体２５、弁箱５に付設された弁駆動用箱８、弁駆動用箱８内に格納された駆動用弁体３２、および、弁駆動用箱８内で駆動用弁体３２を弾性付勢する弾性部材３３などで構成されている。前記の弁箱５は、水道本管２７の一端２９とつながる水道側第１室１６、水道本管２７の別端２８とつながる水道側第２室１５、貯水槽９の一端３１とつながる貯水側第１室１７、および貯水槽９の別端３０とつながる貯水側第２室１４を有し、水道側第１室１６と貯水側第１室１７とが第１弁座２１の開口部２０を介して連通し、水道側第１室１６と水道側第２室１５とが第２弁座９５を介して連通し、水道側第２室１５と貯水側第２室１４とが第３弁座１９の開口部１８を介して連通して形成されている。そして、弁箱５と弁駆動用箱８の間は蓋板７で仕切られている。蓋板７は、弁棒２２を摺動自在に支持するスラスト軸受３５を有している。弁箱５の下面開口は底板６で封止されている。
【００１５】
弁駆動用箱８の上面８Ａには、弁棒２２の先端に延設された延長棒２３を摺動自在に支持する軸受８Ｂが設けられている。延長棒２３には、弁体２５，２６の開閉状態を外部から視認するための開閉指標２４が設けられている。弁軸２２の他端部は、第１弁座２１の開口部２０に架け渡されたスラスト軸受６８に摺動自在に支持されている。そして、水道側第２室１５に開口した接続口３６には、開閉弁３７を有する放出管３８が連結されている。貯水側第１室１７に開口した接続口３９には、開閉弁４０を有する放出管４１が連結されている。弁駆動用箱８の箱内空間３４に開口した接続口４２には、開閉弁４３を有する放出管４４が連結されている。
【００１６】
第１弁体２６および第２弁体２５は共通の弁棒２２に固定されている。第１弁体２６は第１弁座２１を開閉するようになっており、これと同時に第２弁体２５が第３弁座１９を開閉するようになっている。駆動用弁体３２は、弁駆動用箱８の箱内空間３４内に突出した弁棒２２の一端側に固定されていて箱内空間３４内を摺動自在に移動できるようになっている。弾性部材３３は、箱内空間３４内に配備されていて駆動用弁体３２を押して第１弁体２６および第２弁体２５を第１弁座２１および第３弁座１９に向けるように常に弾性付勢している。
【００１７】
上記のパイロット弁３は、パイロット箱７０、パイロット箱７０内に格納されたパイロット弁体８０とダイヤフラム７２および、パイロット箱７０内でダイヤフラム７２を弾性付勢するパイロット弾性部材７３などで構成されている。前記のパイロット箱７０は、水道本管２７の一端２９とつながるパイロット第１室８５、作動弁３の弁駆動用箱８内とつながるパイロット第２室８３、大気に開放されるパイロット第３室７５、および、水道本管２７の一端２９とつながるパイロット第４室７１を有して成り、パイロット第１室８５とパイロット第２室８３とが第１パイロット弁座８２の開口部８１を介して連通し、パイロット第２室８３とパイロット第３室７５とが第２パイロット弁座７９の開口部７８を介して連通して形成されている。パイロット第３室７５とパイロット第４室７１との間は隔壁８７で仕切られている。
【００１８】
パイロット弁体８０は、パイロット弁棒７４の一端側に固定されていて第１パイロット弁座８２または第２パイロット弁座７９の一方を開閉し他方を閉開するようになっている。ダイヤフラム７２は、パイロット第４室７１の内周壁に固着されるとともにパイロット弁棒７４の他端側に連結されている。パイロット弾性部材７３は、パイロット第４室内７１に配備されていてダイヤフラム７２を押してパイロット弁体８０を第１パイロット弁座８２に向けて付勢するようになっている。このパイロット弾性部材７３は、パイロット箱７０の一端部に設けられた水圧設定ネジ６７が回動操作されることにより、ダイヤフラム７２を隔壁８７側へ押す付勢力が調整されるようになっている。これにより、作動弁２を給水動作から止水動作へ切り換えるための水道本管２７における設定水圧が変えられるようになっている。
【００１９】
そして、主駆動用水管６４からの主駆動用水管６５は、パイロット第１室８５の接続口８６に連結されている。切換用水管６６は、主駆動用水管６４から分岐してパイロット弁３のパイロット第４室７１の接続口７７とつながっている。一方、開閉弁４６を有する副駆動用水管４７は、パイロット弁３のパイロット第２室８３の接続口８４と作動弁２の箱内空間３４の接続口４５とを連結している。そして、開閉弁８９を有する放出管９０はパイロット第３室７５の接続口８８に連結されている。コック９１を有する放出管９２は、パイロット第４室７１の接続口７６に連結されている。
【００２０】
上記の連結水管群４は、主駆動用水管４９，５９，６４，６５、副駆動用水管４７、および、切換用水管６６などで構成されている。前記の主駆動用水管４９は水道側第１室１６に開口した接続口４８に連結されており途中に水圧計５８を有している。主駆動用水管５９の途中には開閉弁６０が設けられ、主駆動用水管５９の先端部には開閉弁６２を有する放出管６１が連結されている。放出管６１手前の主駆動用水管５９には、水圧計６３を有する主駆動用水管６４が連結されている。
【００２１】
そして、主駆動用水管４９と主駆動用水管５９には三方切換弁５２が介設されている。この場合、三方切換弁５２の第１口５５に主駆動用水管４９が連結され、三方切換弁５２の第２口５７には主駆動用水管５９が連結されている。三方切換弁５２の第３口５６には、作動弁２の貯水側第１室１７の接続口５０に一端をつながれた手動復帰用水管５１の他端が連結されている。すなわち、三方切換弁５２は、弁ケース５３と、弁ケース５３内に回動自在に装着されて主駆動用水管４９から主駆動用水管５９へ向かう水路と手動復帰用水管５１から主駆動用水管５９へ向かう水路とに選択的に切り換える流路変更部５４と、から構成されている。
【００２２】
上記のように構成された緊急作動弁装置１の作用を引き続き説明する。ここでは、水道本管２７の一端２９からの水道水の導入により、作動弁２の弁箱５内、パイロット弁３のパイロット箱７０内、および全ての水管内から空気が排出されて水道水に置き換えられるとともに貯水槽９内が満水にされたのちに、開閉弁３７，４０，４３，６２およびコック９１が閉じられ、開閉弁６０，４６、８９が開かれたままであって、三方切換弁５２の流路が主駆動用水管４９から主駆動用水管５９に向かう流路に設定されているという、「自動復帰モード」が選択された状態から述べる。
【００２３】
この状態では、パイロット弁３のダイヤフラム７２に、水道本管２７からの水道圧が印加されているが、その水圧がパイロット弾性部材７３による設定水圧より高い場合には、その水圧によってダイヤフラム７２が上方に撓むとともにパイロット弁棒７４も上昇して、パイロット弁体８０は第２パイロット弁座７９に圧接し、開口部８１と接続口８４が開放し、開口部７８と接続口８８が閉じている。そして、パイロット第２室８３からの水道水は副駆動用水管４７を経て作動弁２の箱内空間３４内に入って駆動用弁体３２を押し上げる。それに伴って、第１弁体２６が第２弁座９５に圧接して第１弁座２１の開口部２０を開くとともに、第２弁体２５が第３弁座１９から離れて開口部１８を開く。これにより、水道本管２７の一端２９からの水道水が、図１の弁箱５中の広幅矢印Ｄのように水道側第１室１６から貯水側第１室１７を経て貯水槽９に流入し、更に、広幅矢印Ｅのように貯水側第２室１４から水道側第２室１５を経て水道本管２７の別端２８に戻る。
【００２４】
そして、地震などの非常時になると、例えば水道本管２７内の水圧が低下する。その水圧がパイロット弾性部材７３の設定圧よりも低くなると、パイロット弾性部材７３の弾性力によりダイヤフラム７２が下方に撓んでパイロット弁棒７４が下降し、パイロット弁体８０は第２パイロット弁座７９から離れて第１パイロット弁座８２に圧接して、開口部８１と接続口８４を閉じるとともに、開口部７８と接続口８８を開放する。この開放により、弁駆動用箱８の箱内空間３４内は、副駆動用水管４７、パイロット第２室８３、パイロット第３室７５および放出管９０を介して大気中に放出される。
【００２５】
これにより、図４に示すように、パイロット弁３および副駆動用水管４７を介して弁駆動用箱８の箱内空間３４内に水圧が印加されなくなり、駆動用弁体３２は弾性部材３３の弾性力により下方に動いて弁棒２２を下方に押し下げ、第１弁体２６が第２弁座９５から離れて第１弁座２１に当接するとともに第２弁体２５が第３弁座１９に当接する。この状態は、水道側第１室１６と水道側第２室１５とが連通し、貯水側第２室１４および貯水側第１室１７は水道側第１室１６および水道側第２室１５から遮断された状態であり、水道本管２７の一端２９からの水は、図４の弁箱５中の１点鎖線の広幅矢印Ｆで示すように流れるので、貯水槽９内に水が流入したり流出したりすることはない。
【００２６】
その後、水道本管２７が定常状態に戻り水道本管２７の水圧が再び上昇してパイロット弁３の設定水圧に復帰すると、パイロット弁３を介して弁駆動用箱８の箱内空間３４内にその水圧が印加され、それにより駆動用弁体３２が上方に動いて図１に示した状態に復帰する。すなわち、水道本管２７内の水圧が何らかの原因によって一時的に低下し貯水槽９への流入が遮断されたとしても、水道本管２７が定常状態に戻って水圧が上がると、貯水槽９への水流入状態に自動的に復帰するのである。
【００２７】
一方、図１の状態から、三方切換弁５２の流路変更部５４のレバーを手で回して主駆動用水管４９から主駆動用水管５９への流路を手動復帰用水管５１から主駆動用水管５９への流路に切り換えると（図４中の円Ａ内に示した三方切換弁５２の状態）、「自己保持モード」が設定される。このモードにおいても、平常時は図１の状態が維持されて、水道本管２７からの水が図１の弁箱５中の広幅矢印Ｄ，Ｅのように流れ貯水槽９内を通過して水道本管２７に戻る。
【００２８】
一方、非常時には、前記した自動復帰モードの場合と同様に、水道本管２７内の水圧低下により、弾性部材３３によって、第１弁体２６と第２弁体２５が第１弁座２１と第３弁座１９に圧接して、水道本管２７からの水は図４の弁箱５中の１点鎖線で示す広幅矢印Ｆのように流れる。その後、水道本管２７が定常状態に戻り水道本管２７の水圧が再び上昇してパイロット弁３の設定値に復帰しても、主駆動用水管４９は三方切換弁５２で遮断されており、また第１弁体２６の閉止により貯水側第１室１７が密閉されているので、主駆動用水管５９，６４，６５、パイロット弁３、および副駆動用水管４７を経て作動弁２の箱内空間３４に導入される水圧は変化がない。従って、図４に示した閉止状態をそのまま保持するという「自己保持モード」が実行される。
【００２９】
そうして、自己保持モードの解除は、水道本管２７が平常に戻った状態で、三方切換弁５２を手で操作することにより行われる。すなわち、三方切換弁５２の流路変更部５４のレバーを手で回して手動復帰用水管５１から主駆動用水管５９への流路を主駆動用水管４９から主駆動用水管５９への流路に切り換える。これにより、弁箱５の水道側第１室１６の水圧が主駆動用水管５９、主駆動用水管６５、パイロット弁３および副駆動用水管４７を通して、作動弁２の箱内空間３４に印加される。すると、駆動用弁体３２が上げられて、第１弁体２６および第２弁体２５が第１弁座２１および第３弁座１９から離れ、第１弁体２６が第２弁座９５に圧接する。それにより、作動弁２が図１のような水流路配置に戻って、平常運転が行なわれるのである。
【００３０】
上記したように、この実施形態の緊急作動弁装置１によれば、水道本管と貯水槽との間で定常時の通水運転と非常時の止水運転および水迂回運転を行なう際に、「自動復帰モード」と「自己保持モード」を切り換える構成を、弁箱５の水道側第１室１６からパイロット弁３へつながる主駆動用水管４９，５９に三方切換弁５２を介設するとともに、貯水側第１室１７からの手動復帰用水管５１を三方切換弁５２の残口に連結したという、簡素で安価な構成により実現できたのである。また、自動復帰モードと自己保持モードの切換えは、三方切換弁５２の流路変更部５４の回転操作で流路を変えることにより、簡単に行なうことができる。また、機械的可動部分が外部に露出していないので、機械的可動部分に対する錆発生や塵埃堆積の懸念がなく、これらによる弁体動作不良のおそれもない。
【００３１】
尚、上記の実施形態では、定常状態において、弁箱５の水道側第１室１６の接続口１１を水の入り口とし、水道本管２７の一端２９からの水を接続口１１に流入（図１中の矢印Ｄ）させて、水道側第２室１５の接続口１０から水道本管２７の別端２８に流出（図１中の矢印Ｅ）させるようにしたが、本発明はそれに限定されるものでない。それとは逆に、例えば水道本管２７の別端２８からの水を接続口１０に流入（図１中の１点鎖線矢印ＥＡ）させて、水道側第１室１６の接続口１１から水道本管２７の一端２９に流出（図１中の１点鎖線矢印ＤＡ）させるようにすることも可能である。そのような構成を採用した場合でも、三方切換弁５２の操作による自動復帰モードと自己保持モードとの切換えができ、貯水槽９への水の流通と遮断を行なうことができる。また、現地の設置環境に応じて水道本管への取付け工事を容易に行なうことができる。
【符号の説明】
【００３２】
１    緊急作動弁装置
２    作動弁
３    パイロット弁
４    連結水管群
５    弁箱
８    弁駆動用箱
８Ａ  上面
９    貯水槽
１４  貯水側第２室
１５  水道側第２室
１６  水道側第１室
１７  貯水側第１室
１９  第３弁座
２１  第１弁座
２２  弁棒
２５  第２弁体
２６  第１弁体
２７  水道本管
２８  別端
２９  一端
３０  別端
３１  一端
３２  駆動用弁体
３３  弾性部材
３４  箱内空間
４７  副駆動用水管
４８  接続口
４９  主駆動用水管
５１  手動復帰用水管
５２  三方切換弁
５５  第１口
５６  第３口
５７  第２口
５９  主駆動用水管
６６  切換用水管
７０  パイロット箱
７１  パイロット第４室
７２  ダイヤフラム
７３  パイロット弾性部材
７４  パイロット弁棒
７５  パイロット第３室
７９  第２パイロット弁座
８０  パイロット弁体
８２  第１パイロット弁座
８３  パイロット第２室
８５  パイロット第１室
９０  放出管
９５  第２弁座
【図１】
2018115719.tif 000003
【図２】
2018115719.tif 000004
【図３】
2018115719.tif 000005
【図４】
2018115719.tif 000006
【図５】
2018115719.tif 000007